(57)【要約】【課題】極めて湿度が高く温度差がない環境間の移動で、カセット蓋が閉まっている時には、結露を検出しにくくし、カセット蓋が開かれた時には、結露を素早く検出できる小型で優れた特性を持つ磁気記録再生装置の作成を目的とする。【解決手段】カセット蓋が閉まった時には、カセット蓋に連動する結露センサ蓋で、結露センサ用開口部の入り口を塞ぎ、カセット蓋が開いたときには結露センサ用開口部の入り口を大きく開放する。これにより、カセット蓋が閉まっている時には、内部は、ほとんど密閉されており、結露が発生する可能性は低く、結露検出感度を落とすことができる。また、カセット蓋が開いた時は、実際に内部に結露が発生しやすい状況なので、結露検出感度を鋭敏にして素早く検出する。以上により、カセット蓋が開いている時と、閉まっている時の、結露検出感度を大きく変えることができる結露検出機能を有した磁気記録再生装置が得られる。【選択図】図１
2005209292.tif 000002
【特許請求の範囲】
【請求項１】
テープ状媒体を内包したカセットを装填し前記テープ状媒体に対して信号の記録再生を行う磁気記録再生装置であって、本装置に対して開閉自在に配され閉まった状態で前記カセットを装填した部位を覆うカセット蓋と、本装置における前記カセット蓋によって閉口される部位近傍に配された開口部と、前記開口部内に配されかつ湿度により抵抗値が変化する結露センサと、前記カセット蓋に一体的に設けられ前記カセット蓋が閉じたとき前記結露センサの開口部を塞ぐ蓋部とを備えることを特徴とする磁気記録再生装置。
【請求項２】
テープ状媒体を内包したカセットを装填し前記テープ状媒体に対して信号の記録再生を行う磁気記録再生装置であって、本装置に対して開閉自在に配され閉まった状態で前記カセットを装填した部位を覆うカセット蓋と、前記カセット蓋によって覆われる部位近傍に配された開口部と、前記開口部内に配されかつ湿度により抵抗値が変化する結露センサと、前記カセット蓋に一体的に設けられ前記カセット蓋が閉じたとき前記結露センサの開口部を塞ぐ蓋部と、前記カセット蓋と本体外装ケースとの隙間に設けられた弾性体とを備えたことを特徴とする磁気記録再生装置。
【請求項３】
カセット蓋を閉じた状態で、開口部近傍における前記カセット蓋に一体的に設けられ前記カセット蓋が閉じた時結露センサの開口部を塞ぐ蓋部と、本体外装ケース内の結露センサーの開口部との間に、隙間を有することを特徴とする請求項１及び２記載の磁気記録再生装置。
【発明の詳細な説明】
【技術分野】
【０００１】
本発明は、結露検出機能を有した磁気記録再生装置に関するものである。
【背景技術】
【０００２】
近年、磁気記録再生装置は広く普及し、例えば、可搬型カメラ一体型磁気記録再生装置（以下ビデオカメラと略す）は、様々な気象環境下で使用されている。本発明は、特に様々な気象環境下を頻繁に移動するビデオカメラに好適な発明であるが、他の可搬型の機器にも十分応用が可能な内容である。
【０００３】
磁気記録再生装置は、一般的に、回転シリンダーとテープとが密着して走行する構成のため、急激な温度および湿度の変化により、シリンダー表面に結露が発生した場合、テープがシリンダーに張り付き、テープダメージや、ヘッド目つまり等の不具合を発生する。そのため、結露を検出して、自動的にテープ走行を止めたり、結露の発生を表示して使用者に注意を促したりする等の様々な、テープ保護回路が提案されている。
【０００４】
以下に従来の磁気記録再生装置について説明する。
【０００５】
従来例の、結露検出機能を有した磁気記録再生装置は、特開２００２―１５４８６号公報に記載されたものが知られている。その結露検出機能を有した磁気記録再生装置を図５に示す。図６は従来の結露検出機能を有した磁気記録再生装置の概略構成を示す平面図（図６（ａ））、および正面図（図６（ｂ））で同図（ａ）の矢印Ｗ方向から見た図である。図６において、１はスライドシャーシ９の側面に配された結露センサである。９はスライドシャーシで、結露センサ１はこのスライドシャーシ９の側面に配置されている。８は固定シャーシである。スライドシャーシ９は固定シャーシ８に対して矢印Ｄ方向へスライド可能となっている。１５はスライドシャーシ９に装填されたテープで、本来カセット内に設けられたものであるが説明の便宜上カセットの図示を省略した。
【０００６】
以上のように構成された従来の結露検出機能を有した磁気記録再生装置について、以下その動作について説明する。
【０００７】
まず、この構成では、例えば、湿度条件４０％〜６０％で、移動前後の環境の温度差が２０度以上と大きく、強い結露が発生する状況下で、カセット交換などを行うためＥＪＥＣＴスイッチを押すと、スライドシャーシ９がスライドして出る。結露センサ１はスライドシャーシ９の側面に配置され、カセット交換時にスライドシャーシ９が固定シャーシ８からスライドして出てきたとき、結露センサ１が最も露出される。このとき、メカニズム内部に侵入してくる、暖かく湿った空気による結露を、最も露出した結露センサ１で、素早く結露を検出することができる。
【特許文献１】特開２００２−１５４８６号公報
【発明の開示】
【発明が解決しようとする課題】
【０００８】
しかしながら、上記構成では、結露センサ１をスライドシャーシ９の最も露出した部分に配置したために、検出感度が高くなりすぎる。例えば温度１７度湿度９０％から、温度２０度湿度９０％への移動等、移動前後の環境間の温度差が３度以内と小さく、あまり強い結露が発生しない状況でも、結露センサーがＯＮしてしまい、自動的にテープ走行を止めてしまう。
【０００９】
テープ保護は極めて重要ではあるが、テープ保護が行きすぎた場合、少しの環境変化でも、結露検出が動作することがある。結露を検出した場合、テープ保護のため、テープ走行や、映像と音声を記録することを強制的に止める。その結果、実際は軽い結露のため、テープの走行が可能な状態にもかかわらず、テープの走行を強制的に止めてしまい、二度と無い撮影機会を逃す可能性がある。そのようなことがないように、温度と湿度の変化する環境下の移動でも、テープ走行に支障がでず、映像と音声を記録するヘッドに目つまり等の支障がでないような結露条件である限り、最大限、撮影できることを、近年の磁気記録再生装置には強く求められている。
【００１０】
又、結露センサ１は、スライドシャーシ９が出きった状態では、最も露出した部分にあるために、同時に最も手で触れやすい部分にあることとなり、結露センサの劣化の可能性が高くなる。元々あまり空間的余裕のないスライドシャーシ９の側面部分に結露センサを配置するため、結露センサ１の前面に空間を取るスペースが無く、結露センサ１そのものに手が触れる可能性が高くなる。結露センサ１は手で触れるかまたは、手の汗が付くと、手の表面や、汗に含まれるナトリウムの影響でセンサの性能が劣化する。
【００１１】
本発明は上記従来の問題点を解決するもので、３度差と、比較的温度差が少なく、湿度９０％以上と極めて湿度が高いといった環境間の移動では結露を検出することなく、反対に、湿度条件４０％〜６０％で、移動前後の環境の温度差が２０度以上の温度差がある環境間の移動では、結露を検出するように、磁気記録再生装置の使用状況に応じて、より細かく結露検出感度を調整することができ、又、同時に結露センサそのものに手が触れる可能性を回避して、結露センサの劣化が起きない配置を実現できる結露検出機能を有した磁気記録再生装置を提供することを目的とする。
【課題を解決するための手段】
【００１２】
上記目的を達成するために本発明の磁気記録再生装置は、テープ状媒体を内包したカセットを装填し前記テープ状媒体に対して信号の記録再生を行う磁気記録再生装置であって、本装置に対して開閉自在に配され閉まった状態で前記カセットを装填した部位を覆うカセット蓋と、本装置における前記カセット蓋によって閉口される部位近傍に配された開口部と、前記開口部内に配されかつ湿度により抵抗値が変化する結露センサと、前記カセット蓋に一体的に設けられ前記カセット蓋が閉じたとき前記結露センサの開口部を塞ぐ蓋部とを備えるものである。
【００１３】
以上の構成により、湿度により抵抗値の変化する結露センサと、結露センサに至る開口部と、カセット蓋と、カセット蓋に一体化して動き、カセット蓋が閉じたとき、結露センサの開口部を閉じることができる結露検出開口部の蓋を備えた構成により、カセット蓋が開いているのか、閉っているのかに連動して、結露検出開口部の蓋を開閉することで、より精度の高い結露検出を、ビデオカメラの使用状況に応じて、行うことができる。
【発明の効果】
【００１４】
以上のように本発明は、この構成によって、カセット蓋か開いた場合は、結露センサの開口部を大きく開放し、もし周囲の環境条件が、中結露以上の重い結露を発生させるような、状況に成っている場合、素早く結露の発生を検出し、保護機能を動作させることができる。
【００１５】
一方、カセット蓋が閉じている限り、結露センサの開口部は蓋で閉じられ、重結露を越えるような環境条件になるまでは結露の検出をしないように、設定できる。その設定は、結露センサの開口部の位置と、開口部の大きさ、開口部の形状および可動する結露検出開口部の蓋と結露センサの開口部の隙間の量で細かく、設定することができる。
【００１６】
その結果、ビデオカメラの上面近くに配置した結露センサの開口部をカセット蓋に連動して動く結露検出開口部の蓋で閉じることにより、同じ外部環境の変化にも関わらず、カセット蓋が閉っているかぎり、軽結露から中結露程度までの結露は検出せず、そのまま撮影を続行するようにして、二度と無い撮影機会を逃すことがないように、できる限り撮影できることを確保できるという優れた効果が得られる。
【発明を実施するための最良の形態】
【００１７】
本発明の請求項１及び３に記載の発明は、テープ状媒体を内包したカセットを装填し前記テープ状媒体に対して信号の記録再生を行う磁気記録再生装置であって、本装置に対して開閉自在に配され閉まった状態で前記カセットを装填した部位を覆うカセット蓋と、本装置における前記カセット蓋によって閉口される部位近傍に配された開口部と、前記開口部内に配されかつ湿度により抵抗値が変化する結露センサと、前記カセット蓋に一体的に設けられ前記カセット蓋が閉じたとき前記結露センサの開口部を塞ぐ蓋部とを備えることを特徴としたものであり、カセット蓋が開いた時、素早く、結露の発生を検出することができ、閉じたときは、結露の検出感度を落とし、最大限、撮影機会を確保することができるという作用を有する。
【００１８】
請求項２及び３に記載の発明は、テープ状媒体を内包したカセットを装填し前記テープ状媒体に対して信号の記録再生を行う磁気記録再生装置であって、本装置に対して開閉自在に配され閉まった状態で前記カセットを装填した部位を覆うカセット蓋と、前記カセット蓋によって覆われる部位近傍に配された開口部と、前記開口部内に配されかつ湿度により抵抗値が変化する結露センサと、前記カセット蓋に一体的に設けられ前記カセット蓋が閉じたとき前記結露センサの開口部を塞ぐ蓋部と、前記カセット蓋と本体外装ケースとの隙間に設けられた弾性体とを備えたことを特徴としたものであり、内部に湿った空気が入り込みにくくすることができ、軽結露から中結露の条件での、カセット蓋を閉じたときの結露検出感度を下げることができると同時に、内部に湿った空気が入り込まず、実質的に、シリンダー表面に発生する結露を防ぐことができるという作用を有する。
【００１９】
以下、本発明の実施の形態について図面を用いて説明する。
【００２０】
（実施の形態１）
図１は本実施の形態の磁気記録再生装置の一例であるビデオカメラの全体構成を示す斜視図で、カセット蓋が開いた状態である。図２は同様にカセット蓋が閉まった状態である。図３は本発明の実施の形態１における結露検出機能を有した磁気記録再生装置の結露センサ位置を示す断面図であり、図１のＺ−Ｚ部の断面である。
【００２１】
同図において従来と同一の構成要素には同一番号を付与し説明を省略することがある。図３において、１は結露センサで、周囲の湿度に応じて大きく抵抗値が変化するセンサである。通常は高感度の湿度センサで構成される。２は内部に結露センサ１が配された開口部で、ビデオカメラ１０の上部に近い部分に配置している。その開口位置と開口形状で、結露センサ１の感度を調節する。７はビデオカメラ１０の外装ケースで、内部に結露センサ１や結露センサ１に至る開口部２を備える。３はビデオカメラ１０に回動自在に設けられたカセット蓋で、図２の閉まった状態から矢印ａ方向へ回動させることで、図１の開いた状態へと移行することができる。４はカセット蓋３に一体化して動き、カセット蓋３が閉じたとき、結露センサ１の開口部２を閉じることができる結露検出開口部の蓋部である（以下結露センサ蓋と略す）。この結露センサ蓋４により、カセット蓋３の開閉に連動して、開口部２の入り口を開閉することで、より精度の高い結露検出を、ビデオカメラの使用状況に応じて行うことができる。図１において、１１はビデオカメラ１０内部に設けられたメカニズムで、カセットからテープを引き出す機構や、テープを巻き付け信号の記録再生を行うヘッドを備えたシリンダ１２や、カセットを保持して移動させるカセット保持手段１３などからなる。
【００２２】
以上のように構成された本実施の形態について、以下その動作について説明する。
【００２３】
図２に示すようにカセット蓋３が閉まっているときは、図３の断面図のように、結露センサ１の開口部２は結露センサ蓋４で閉じられている。この状態では、結露センサ１にほとんど空気は流れず、結露の検出感度は低くなる。ただし、結露センサ１の開口部２はビデオカメラ１０の上面近くに配置しており、又、外装ケース７とカセット蓋３の間には、わずかな隙間Ｌを残しており、重結露の条件下ではカセット蓋３が閉まっているときも、この隙間を通じて結露を検出し、ビデオカメラとして、電気回路等に影響のでる可能性のある重結露を検出し、ビデオカメラの電源を切れるように設定する。
【００２４】
一方、図１に示すように、カセット蓋３が開いているときは、図３の断面図で結露センサ１の開口部２の前面に位置していた結露センサ蓋４は、開口部２を覆わない位置へ移動しており、図１に示すように開口部２は大きく開放されている。この状態では、結露センサ１に空気が自由に流れ込み、結露の検出感度は高くなる。
【００２５】
本発明の結露検出機能を有した磁気記録再生装置は、上述のように、湿度により抵抗値の変化する結露センサ１と、結露センサ１に至る開口部２と、カセット蓋３と、カセット蓋３に一体化して動きカセット蓋３が閉じたとき結露センサ１の開口部２を閉じることができる結露検出開口部の蓋部４を備えた構成を有している。
【００２６】
この構成によって、各環境下での移動で発生する、３つの段階の結露に対して、それぞれの対応を述べる。３つの段階の結露とは、比較的程度の軽い結露で、テープ走行に支障のない結露（軽結露と略す）、ほぼ中間的な結露で、テープ走行には支障があるが、ビデオカメラ全体としての動作には支障のない程度の結露（中結露と略す）、完全な結露で、テープ走行以外にも支障があり、例えば電気回路に通電を続けると、電極間にマイグレーションが発生する可能性がある、比較的重い結露（重結露と略す）である。
【００２７】
軽結露の条件は、極めて湿度が高く、温度差が少ない、露点近くの温度差からの移動で発生しやすく、例えば湿度９０％以上で温度１７度から２０度への移動のように、温度差３度程度で発生し、ビデオカメラ全体としても、すこし湿った程度の結露である。一方、重結露の条件は、例えば湿度条件４０％〜６０％と中程度でも、０度から２０度への移動のように、移動前後の環境の温度差が２０度以上ある場合に発生し、ビデオカメラ全体として、びっしょりと濡れた状態の結露である。また、中結露の条件は、上記の軽結露と重結露の中間的な結露で、例えば湿度９０％以上で、１５度から２０度への移動のように、温度差５度程度と露点より、２〜３度大きい温度差の環境間の移動で発生し、ビデオカメラの全体ではなく、一部分のみに薄く結露が認められる程度の結露である。
【００２８】
本発明により、上記に示す３つの結露発生の段階で、下記に示すような使用状況下で、早期に結露の検出が必要で、結露の検出感度を高めたり、反対に、できる限り、結露の検出感度を押さえたりすることができる。その対応を変える使用状況の主要因はカセット蓋の開閉である。
【００２９】
新規のテープ挿入や、テ―プの交換などの理由でカセット蓋が開いて、冷えたメカニズム部分１１に直接暖かく湿った空気が進入すると、比較的熱容量の大きいシリンダー１２の表面で結露が発生する。これは、シリンダー１２表面で急激に冷やされた外からの暖かい空気の中に含まれる水蒸気が表面で水となって析出し、シリンダー１２の表面に付着する現象である。この現象によるテープ張り付きやヘッド目つまり等の不具合を避けるためには、結露を素早く検出することが必要である。
【００３０】
結露を素早く検出するためには、発生する結露をできるだけ早く検出できる位置に結露センサ１を配置して、その結露センサ１にスムーズに空気を導くことが有効である。そのために、カセット蓋３の開いたことに連動して、ビデオカメラ１０の上面近くに配置した結露センサ１の開口部２を大きく開放し、もし周囲の環境条件が、中結露から重結露を発生させるような状況に成っている場合、結露センサ１に湿った空気をスムーズに導くことにより、素早く結露の発生を検出できるようにするわけである。
【００３１】
もちろんカセット蓋３を開けた場合でも、周囲の環境条件が、結露を発生させるような状況になっていない場合、または、テープ走行には支障のない程度の軽結露の条件である場合には、結露を検出する必要はない。
【００３２】
一方、カセット蓋３が閉まっている場合、カセット収納部分とテープ走行部分のすべての空間は、その構造上、ある程度の密閉性を持っている。特に可搬型カメラ一体型磁気記録再生装置においては、本体と一体化したカメラ部分で撮影する画像と同時に、本体に内蔵したマイクで、音も収録するため、カセット収納部分とテープ走行部分で発生するテープ走行音やシリンダー１２の回転音などのメカニカルノイズをマイクで拾わないように、ますます密閉性を高めて、音を封じ込める様な構造を採用する傾向にある。その音の対策も兼ねながら、カセット蓋３を閉じたときの結露検出感度を下げるためと、軽結露から中結露の条件では、内部に湿った空気が入り込まず、結露が発生しないように、外装ケース７の密閉性を高めるために、以下の対応を導入する。
【００３３】
まず、外装ケース７の嵌合を詰めて、隙間をできる限り少なくする。又、本体の外装ケース７とカセット蓋３とが平面的に重なる部分を増やすことにより、より空気を進入しにくくする。それとともに、カセット蓋３の構造上、どうしても発生するシリンダー１２上部の隙間部分にも平面的に重なる部分を設け、その重なり部分に、隙間を塞ぐ弾性体を配置することによって、最もシリンダー１２に近い部分に真横に走る隙間からの空気の進入を効果的に防ぐことができる。又、そのほかの部分の隙間にも、弾性体を配置することによって、より一層、内部に湿った空気が入り込みにくくすることができる。
【００３４】
その結果、カセット蓋３を開かない限り、メカニズム部分１１に直接外部から湿った空気が進入することはなく、例えば、内部と外部の温度差が５度から２０度と大きい時も、暖かく湿った空気が内部に進入することがないため、内部のシリンダー１２表面での急激な温度差は発生せず、シリンダー１２表面に結露が発生することもない。
【００３５】
従って、同じ外部環境間の移動にも関わらず、カセット蓋３が閉っているかぎり、軽結露から中結露程度までの結露を検出する必要はない。その結果、結露を検出しないので、テープ走行を止める必要もなく、結露の検出感度を上げる必要もない。そこで、本発明では、ビデオカメラ１０の上面近くに配置した結露センサ１の開口部２をカセット蓋３に連動して動く結露検出開口部の蓋部４で閉じることにより、結露の検出感度を落としている。つまり、環境間の移動によって、周囲の気温と湿度の環境変化が、軽結露から中結露を発生するような状況になっている場合でも、カセット蓋３が閉っているかぎり、簡単には結露を検出せず、そのまま撮影を続行するようにして、二度と無い撮影機会を逃すことがないように、できる限り撮影できることを確保している訳である。
【００３６】
さらに移動前後の温度差が２０度以上と大きい場合の重結露では、ビデオカメラ全体が、結露で覆われる状態となる。その時は、結露センサ１の開口部２を閉じている蓋部４と、結露センサ１の開口部２の間に設けたわずかな隙間Ｌからの空気の流入により、結露センサ１を動作させ、ビデオカメラ１０の電源を切るような処置を実施する。これは、重結露の場合は、テープ走行以外にも支障があり、例えば、電気回路に通電を続けると、電極間にマイグレーションが発生する可能性があるため、直ちに、ビデオカメラ１０の電源を切るような処置が必要であるためである。以上のような、細かな検出感度の設定が、本発明の場合、可動する結露検出開口部の蓋部４と結露センサ１の開口部２の形状や隙間Ｌを細かく設定することにより、可能となる。
【００３７】
つまり、カセット蓋３が開いた場合は、結露センサ３の開口部２を大きく開放し、もし周囲の環境条件が、中結露以上の重い結露を発生させるような、状況になっている場合、素早く結露の発生を検出し、保護機能を動作させることができる。
【００３８】
一方、カセット蓋３が閉じている限り、結露センサ１の開口部２は蓋部４で閉じられ、重結露を越えるような環境条件になるまでは結露の検出をしないように、設定する。この設定は、結露センサ１の開口部２の位置と、開口部２の大きさ、開口部２の形状および可動する結露検出開口部の蓋部４と結露センサ１の開口部２の隙間Ｌの量で細かく、設定することができる。
【００３９】
また、本構成によると、カセット蓋３が開いたときも、結露センサ１そのものを露出するわけではないため、ビデオカメラ１０上面の近くに配置した開口部２の奥に配置している結露センサ１そのものに、使用者の指や汗（水分）が触れる可能性は低い。
【００４０】
なお、結露感度を調整する上で、結露センサ１の下側の空間を閉じるか、開くかは、各機器の検出感度の状況を確認して決定することができる。下側の空間を開き、元の内部の空間に開口するように構成すれば、空気の流れはよくなり、結露を検出しやすく設定できる。一方、下側の空間を閉じれば、空気の流れは悪くなり、結露の検出感度は落ちる。
【００４１】
本実施の形態の設定としては、できるだけ開口部を大きく取り、下側の空間を開いた状態で、図３に図示した。
【００４２】
なお、カセット蓋３と結露センサ蓋４は、図３に示すように別部材としたが、樹脂部品等で一体して樹脂成形することもできる。
【００４３】
なお、本説明では、図１に於いて、結露センサ開口部２の位置は、ビデオカメラ１０後部の辺Ａの位置として説明したが、ビデオカメラ１０の上部の位置であれば同様の効果は得られ、例えば、同図に於けるビデオカメラ１０側面に向いたＢの辺に、２ａに示すように設けてもよい。又同様に、同図に於けるビデオカメラ１０前部側のＣの辺に、２ｂに示すように設けてもよい。どの辺に設けても、結露センサ開口部２が、カセット扉３に連動して動く結露センサ蓋４で開閉できれば、本発明の効果を本実施の形態の位置に配置した場合と同様に得る構成が可能である。
【００４４】
（実施の形態２）
図４（ａ）は本発明の実施の形態２の結露検出機能を有した磁気記録再生装置の構成を示す側面図である。図４（ｂ）は同側面図であり、図４（ａ）の矢印Ｙ方向から見た図である。
【００４５】
図４において、３はカセット蓋であり、図４の大きな点線で示したカセットを挿入または取り出しするときの穴の部分を大きく覆っている。７は外装ケースであり、点線部分に示す穴の周りの外装ケース７とカセット蓋３とを平面的に、重なるように、互いに重複する部分を設けている。
【００４６】
５はシリンダーであり、正面から直接は見えないが、位置としてはカセットの下のこの部分に配置される。６はカセット蓋３の密閉性を高めるための弾性体である。図４に示す一点鎖線で囲まれた部分に弾性体６を張り付ける。弾性体６の材質としては、例えば、天然のゴムや、樹脂製の材料に気泡を含ませたような、スポンジ等が考えられるが、隙間を効果的に塞ぐことができて、ある程度の耐久性が必要である。１４はカセット蓋３をビデオカメラ１０に対して回動自在に保持するヒンジである。
【００４７】
図５は図４のカセット蓋３の下の部分の、本体外装ケース７との位置関係を示す断面図であり、具体的には図４（ｂ）のＸ部の拡大断面である。図４のカセット蓋部分が閉まっている正面図に対して、開いたときの本体外装ケースとの位置関係を示す。弾性体６は、カセット蓋３側に張り付けている。
【００４８】
以上のように構成された本実施の形態について、以下その動作について主に弾性体６の働きを説明する。
【００４９】
弾性体６は、カセット蓋３の密閉性を高めるために、特に弾性体６のシリンダー５の上面を横切る隙間部分にはっている。図５は、カセット蓋３が開いたときの本体外装ケース７との位置関係であるが、カセット蓋３が閉まったとき、ある程度のつぶし代で、本体外装ケース７とカセット蓋３との隙間を埋めて、ビデオカメラの内部を密閉する。
【００５０】
これにより、中結露から軽結露が発生するような、環境移動を行った場合も、シリンダー５部分に、暖かく湿った空気が流れ込むのを防止し、カセット蓋３をあけない限り、撮影することを可能にする。
【００５１】
特に、シリンダー５は回転すると、遠心力により、空気をシリンダー５自身の中心から周辺に向かって送る作用をするため、シリンダー５の上面部分に、ほんの少しでも隙間があると、シリンダー５自身がその隙間から、空気を吸い込むことになる。その対策として、シリンダー５の上面を横切る隙間部分を特に、弾性体６で密閉することは、高い効果が得られる。又、その他の部分についても、できる限り、弾性体６で隙間を塞げば、さらに密閉性を高めることができる。
【００５２】
なお、本実施の形態では、弾性体６はカセット蓋３に張り付ける説明を使ったが、外装ケース７側に張り付けても同様の効果が得られる。又、見栄えと、こすれ等による耐久性を考慮して、部分によっては、適宜カセット蓋３側に張り付けたり、外装ケース７側に、張り付けたりしてもよい。又、カセット蓋３と、外装ケース７の両方に張って、より密閉性を高めることもできる。
【産業上の利用可能性】
【００５３】
本発明は、結露検出装置およびそれを用いた磁気記録再生装置に関するものであり、上記説明において磁気記録再生装置はビデオカメラを一例として説明したが、これに限らず携帯型の装置であれば応用可能である。
【図面の簡単な説明】
【００５４】
【図１】本発明の実施の形態における磁気記録再生装置の全体を示す斜視図（カセット蓋が開いた状態）
【図２】本発明の実施の形態における磁気記録再生装置の全体を示す斜視図（カセット蓋が閉じた状態）
【図３】本発明の実施の形態１における結露センサ位置を示す断面図
【図４】（ａ）同実施の形態２における弾性体位置を示す側面図（ｂ）同実施の形態２における弾性体位置を示す正面図
【図５】同実施の形態２における弾性体位置を示す断面図
【図６】従来の結露検出機能を有した磁気記録再生装置の結露センサ位置を示す平面図と正面図
【符号の説明】
【００５５】
１    結露センサ
２    開口部
３    カセット蓋
４    蓋部
６    弾性体
７    外装ケース
【図１】
2005209292.tif 000003
【図２】
2005209292.tif 000004
【図３】
2005209292.tif 000005
【図４】
2005209292.tif 000006
【図５】
2005209292.tif 000007
【図６】
2005209292.tif 000008